(57)【要約】【課題】マグネットカップリングポンプにおいて、ポンプから漏出する不純物がマグネットカップリングへ侵入することを防止すること。【解決手段】ポンプ（１）のインナロータがポンプシャフト（２）の一端部に設けられ、マグネットカップリングのインナマグネット（１０）がポンプシャフト（２）の他端部に設けられ、インナマグネット（１０）の外周に位置するマグネットカップリングのアウタマグネット（９）がモータシャフト（２０）に連結され、インナマグネット（１０）とアウタマグネット（９）との間に介在するカン（１１）が、モータ（１８）により支持され、ポンプシャフトシャフト（２）の中間部がボールベアリング（７）により支持され、モータによりマグネットカップリングを介してポンプが駆動され、ポンプによりオイルが送給されるようにしたマグネットカップリングオイルポンプにおいて、前記ポンプ（１）本体のポンプシャフト（２）貫通部に凹所が設けられ、前記マグネットカップリングに鉄粉等の侵入を防ぐ耐油性オイルシール（４）が前記凹所に設けられている。【選択図】図２
0003111326.tif 000002
【実用新案登録請求の範囲】
【請求項１】
ポンプのインナロータがポンプシャフトの一端部に設けられ、マグネットカップリングのインナマグネットがポンプシャフトの他端部に設けられ、インナマグネットの外周に位置するマグネットカップリングのアウタマグネットがモータシャフトに連結され、インナマグネットとアウタマグネットとの間に介在するカンが、モータにより支持され、ポンプシャフトシャフトの中間部がボールベアリングにより支持され、モータによりマグネットカップリングを介してポンプが駆動され、ポンプによりオイルが送給されるようにしたマグネットカップリングオイルポンプにおいて、前記ポンプ本体のポンプシャフト貫通部に凹所が設けられ、前記マグネットカップリングに鉄粉等の侵入を防ぐ耐油性オイルシールが前記凹所に設けられていることを特徴とするマグネットカップリングオイルポンプ。
【考案の詳細な説明】
【技術分野】
【０００１】
本考案は、マグネットカップリングを使用するオイルポンプに関し、より詳しくは、使用液体中に鉄粉などの不純物が含まれているような使用環境にある油圧装置等に圧油を供給するマグネットカップリングオイルポンプに関する。
【背景技術】
【０００２】
モータによりマグネットカップリングを介してポンプを駆動し、ポンプにより圧油を送給する、所謂マグネットカップリングポンプは、多くの油圧機械に実用されている。
【０００３】
従来のマグネットカップリングポンプの一例の要部が、図３に示されており（全体構成は、図１により後記する。）、同図において、一端にポンプのインナロータを設けたポンプシャフト２の他端に、マグネットカップリングのインナマグネット１０が設けられ、インナマグネット１０は、カン１１を介してアウタマグネットに磁気結合されている。シャフト２の中間部は、ボールベアリング７により軸受けされている。５、６はＯリングを示す。
【０００４】
斯かるポンプでは、マグネットカップリングを使用することにより、ポンプ本体にオイルシールを組み込まない形で構成されていた。そのため、ポンプ側からマグネット室への液体のリークを許し、使用液体中の鉄粉等の不純物Ｆが黒矢印のように流通し、インナマグネット１０やベアリング７に付着することによりインナマグネット１０やシャフト２の回転を妨げる要因を作っていた。
【特許文献１】特開平９−１６３６７６号公報
【考案の開示】
【考案が解決しようとする課題】
【０００５】
本考案は、上記のような従来技術の問題点を解決すべく提案するもので、マグネットカップリング部への不純物の侵入を防ぐことにより、作動を円滑にするとともに使用寿命を長くしたマグネットカップリングを提供することを目的とする。
【課題を解決するための手段】
【０００６】
本考案によれば、ポンプ（１）のインナロータがポンプシャフト（２）の一端部に設けられ、マグネットカップリングのインナマグネット（１０）がポンプシャフト（２）の他端部に設けられ、インナマグネット（１０）の外周に位置するマグネットカップリングのアウタマグネット（９）がモータシャフト（２０）に連結され、インナマグネット（１０）とアウタマグネット（９）との間に介在するカン（１１）が、モータ（１８）により支持され、ポンプシャフトシャフト（２）の中間部がボールベアリング（７）により支持され、モータによりマグネットカップリングを介してポンプが駆動され、ポンプによりオイルが送給されるようにしたマグネットカップリングオイルポンプにおいて、前記ポンプ（１）本体のポンプシャフト（２）貫通部に凹所が設けられ、前記マグネットカップリングに鉄粉等の侵入を防ぐ耐油性オイルシール（４）が前記凹所に設けられている。
【考案の効果】
【０００７】
モータによりマグネットカップリングを介してポンプを駆動する本考案のマグネットカップリングオイルポンプは、ポンプ本体のポンプシャフトが貫通する箇所に凹所を形成し、該凹所にオイルシールを設けたので、ポンプからモータ側へ向けて漏出するオイルはオイルシールにより遮断され、マグネットカップリングやポンプシャフトのベアリングにオイル中に含有される鉄粉等の不純物の付着が防止される。
【考案を実施するための最良の形態】
【０００８】
マグネットカップリングポンプにおいて、不純物がマグネットカップリングへの侵入を防ぐ目的を、ポンプ本体のポンプシャフト貫通部にオイルシールを付設する簡単な構成により実現した。
【実施例】
【０００９】
図１、図２は本考案の一実施例を示す。同図において、１はポンプを、２はポンプシャフトを示し、ポンプシャフト２の一端には、ポンプ１の本体内のインナロータ（図示せず）が設けられ、ポンプシャフト２の他端にはインナマグネット１０が設けられている。ポンプシャフト２の中間部は、ボールベアリング７により回転自在に支持されている。
【００１０】
駆動モータ１８のモータシャフト２０の一端にアウタマグネット９がキャリヤ２１を介して連結されており、キャリヤ２１は止めネジ１９によりモータシャフト２０に固定されている。
【００１１】
モータ１８の一端部に、樹脂製のアダプター１２がボルト１５により固定され、モータ１８とボルト１５の間にバネ座金１６、平座金１７が介装されている。アウタマグネット９と磁気結合されるインナマグネット１０の間に介装されるカン１１は、アダプター１２を介してモータ１８により支持されている。アウタマグネット９とインナマグネット１０、カン１１はマグネットカップリングを構成する。
【００１２】
アダプター１２にスペーサー３がボルト１３により固定され、該スペーサー３にボルト１４によりポンプ１の本体は固定されており、従ってポンプ１の本体とモータ１８は、アダプター１２及びスペーサー３を介して連結される。
【００１３】
ポンプ本体のポンプシャフト２の貫通部に凹所が形成され、該凹所にオイルシール４が設けられ、固定手段例えばスナップリング２２で固定されている。
【００１４】
オイルシール４は、ゴム製の本体部４ａ、硬質樹脂、金属等の剛性補強部材４ｂを有する。本体部４ａはポンプシャフトに摺接する輪状内周部、ポンプ本体の凹所内壁に弾圧密着する輪状外周部、これらの内周部と外周部の各一端部を連結し、シャフトに直交する面内に延在する環状部とを有する。内周部はコイルスプリングによりポンプシャフトに弾圧しても良い。本体部４ａを構成するゴムは、耐油性、耐磨耗性を有するニトリルやアクリル系の合成ゴムが好ましい。
【図面の簡単な説明】
【００１５】
【図１】本考案に係るマグネットカップリングオイルポンプの一実施例を示す一部破断正面図である。
【図２】図１のＡ部拡大図である。
【図３】従来のマグネットカップリングオイルポンプの要部拡大図である。
【符号の説明】
【００１６】
１・・・ポンプ
２・・・ポンプシャフト
４・・・オイルシール
９・・・アウタマグネット
１０・・・インナマグネット
１８・・・モータ
２０・・・モータシャフト
【図１】
0003111326.tif 000003
【図２】
0003111326.tif 000004
【図３】
0003111326.tif 000005